(57)【要約】【課題】鉄筋コンクリート製の柱と鉄骨梁とを、施工工数を抑えつつ、柱の仕口部と鉄骨梁の施工誤差を吸収して接合する。【解決手段】鉄骨梁５０の端部５０Ａに接合したプレート６０には、延在部６４が形成されているので、仕口部３０を打設する前の下側柱２２の上部２３の柱側面２３Ａに固定することができる。そして、鉄骨梁５０の端部５０Ａに接合したプレート６０の延在部６４を下側柱２２の上部２３の柱側面２３Ａに固定して仕口部３０のコンクリートを打設することで、施工工数を抑えつつ、鉄骨梁５０と仕口部３０との施工誤差を吸収することができる。【選択図】図１
2018066221.tif 000002
【特許請求の範囲】
【請求項１】
鉄筋コンクリート製の柱を構築する工程と、
鉄骨梁の端部に接合され、突出部を有するプレートの下側に延在する延在部を前記柱の上部の柱側面に固定する工程と、
前記柱の上部に、前記突出部が埋設するようにコンクリートを打設して、仕口部を構築する工程と、
を備える柱梁の接合方法。
【請求項２】
前記仕口部を構築する工程では、前記柱の上部と前記鉄骨梁の上部とにコンクリートを打設し、前記仕口部とスラブとを一体的に構築する、
請求項１に記載の柱梁の接合方法。
【請求項３】
鉄骨梁の端部に接合され、鉄筋コンクリート製の柱における仕口部に埋設される突出部を有し、前記仕口部に接合されたプレートと、
前記プレートに形成され、前記仕口部よりも下側に延在し、前記仕口部の下の柱側面に固定された延在部と、
を備える柱梁の接合構造。
【発明の詳細な説明】
【技術分野】
【０００１】
本発明は、柱梁の接合方法及び柱梁の接合構造に関する。
【背景技術】
【０００２】
特許文献１には、鉄筋コンクリート柱と鉄骨梁との仕口部に関する技術が開示されている。この先行技術では、左右の鉄骨梁のエンドプレートを固定螺子棒で連結してエンドプレートを型枠の一部として利用している。
【０００３】
特許文献２には、柱を鉄筋コンクリート造、梁を鉄骨造とする混合構造骨組に関する技術が開示されている。この先行技術では、鉄骨造大梁を柱フェース面まで伸ばし、且つ鉄骨造大梁の端部には柱フェース面に接する支圧板を設けている。そして、鉄筋コンクリート造柱の外側のみに鉄骨造大梁が密着配置されている構成とし、支圧板にスタッドボルトが設けられている。
【０００４】
ここで、鉄筋コンクリート製の柱に鉄骨梁を接合する場合は、柱の仕口部に鉄骨梁を接合する。
【０００５】
しかし、この方法では、鉄筋コンクリート製の柱の仕口部と鉄骨梁との施工誤差を吸収するために、仕口部と鉄骨梁との間に無収縮モルタルを充填したり、仕口部に予めブラケットを接合して鉄骨梁を接合したりするなど、施工工数が多くなる。
【先行技術文献】
【特許文献】
【０００６】
【特許文献１】特開平５−３９６３０号公報
【特許文献２】特開２０１５−１４５５５６号公報
【発明の概要】
【発明が解決しようとする課題】
【０００７】
本発明は、上記事実を鑑み、鉄筋コンクリート製の柱と鉄骨梁とを、施工工数を抑えつつ、柱の仕口部と鉄骨梁の施工誤差を吸収して接合することが目的である。
【課題を解決するための手段】
【０００８】
請求項１の発明は、鉄筋コンクリート製の柱を構築する工程と、鉄骨梁の端部に接合され、突出部を有するプレートの下側に延在する延在部を前記柱の上部の柱側面に固定する工程と、前記柱の上部に、前記突出部が埋設するようにコンクリートを打設して、仕口部を構築する工程と、を備える柱梁の接合方法である。
【０００９】
請求項１に記載の発明では、鉄骨梁の端部に接合したプレートの延在部を鉄筋コンクリート製の柱の上部の柱側面に固定して仕口部のコンクリートを打設するので、仕口部を構築した後に鉄骨梁を接合する施工方法と比較し、施工工数を抑えつつ、鉄骨梁と仕口部との施工誤差を吸収することができる。
【００１０】
請求項２の発明は、前記仕口部を構築する工程では、前記柱の上部と前記鉄骨梁の上部とにコンクリートを打設し、前記仕口部とスラブとを一体的に構築する、請求項１に記載の柱梁の接合方法である。
【００１１】
請求項２に記載の発明では、仕口部とスラブとを一体的に構築するので、施工工数が削減する。
【００１２】
請求項３の発明は、鉄骨梁の端部に接合され、鉄筋コンクリート製の柱における仕口部に埋設される突出部を有し、前記仕口部に接合されたプレートと、前記プレートに形成され、前記仕口部よりも下側に延在し、前記仕口部の下の柱側面に固定された延在部と、を備える柱梁の接合構造である。
【００１３】
請求項３に記載の発明では、鉄骨梁の端部に接合したプレートの延在部を鉄筋コンクリート製の柱側面に固定して、仕口部のコンクリートを打設することができるので、施工工数を抑えつつ、鉄骨梁と仕口部との施工誤差を吸収することができる。
【発明の効果】
【００１４】
本発明によれば、鉄筋コンクリート製の柱と鉄骨梁とを、施工工数を抑えつつ、柱の仕口部と鉄骨梁の施工誤差を吸収して接合することができる。
【図面の簡単な説明】
【００１５】
【図１】柱梁架構の施工手順を示す図である。
【図２】柱梁架構の図３の２−２線に沿った断面図である。
【図３】柱梁架構の図２の３−３線に沿った断面図である。
【発明を実施するための形態】
【００１６】
＜実施形態＞
本発明の一実施形態に係る柱梁の接合構造及びその柱梁の接合方法について説明する。なお、各図において適宜示される矢印Ｘ及び矢印Ｙは水平方向における直交する２方向を示し、矢印Ｚは鉛直方向を示している。
【００１７】
［構造］
実施形態に係る柱梁の接合構造が適用された柱梁架構１０について説明する。
【００１８】
図２及び図３に示すように、鉄筋コンクリート製の柱２０の仕口部３０の仕口部側面３０Ａに鉄骨梁５０の一方の端部５０Ａが接合されている（図１も参照）。鉄骨梁５０の他方の端部５０Ｂは、鉄骨柱４０に接合されている。なお、鉄骨梁５０の種類は限定されないが、本実施形態の鉄骨梁５０は、上下のフランジ５２、５４とウエブ５６とを有する構造のＨ形鋼で構成されている。
【００１９】
図１及び図２に示すように、鉄骨梁５０の上側のフランジ５２には、先端部に頭部５７を有する頭付スタッド５８が設けられている。また、図１（Ｂ）及び図２に示すように、この鉄骨梁５０の上に、鉄筋コンクリート製のスラブ４２が形成されている。
【００２０】
図３に示すように、本実施形態では、鉄骨梁５０に加え、鉄筋コンクリート製の柱２０の仕口部３０の仕口部側面３０Ｂ、３０Ｃ、３０Ｄには、それぞれ鉄筋コンクリート製の梁１４、１６、１８が接合されている。なお、これら鉄筋コンクリート製の梁１４、１６、１８は接合されていなくてもよい。
【００２１】
鉄筋コンクリート製の柱２０には、図示を省略している柱主筋とせん断補強筋とが埋設されている。また、鉄筋コンクリート製の梁１４、１６、１８には、図示を省略している梁主筋とせん断補強筋とが埋設されている。
【００２２】
図２に示すように、本実施形態における柱２０は、工場等で予め作製されたプレキャスト鉄筋コンクリート製の下側柱２２及び上側柱２４と、現場でコンクリートを打設して構築された仕口部３０と、で構成されている。また、梁１４、１６、１８（図３参照）も工場等で予め作製されたプレキャスト鉄筋コンクリート製である。
【００２３】
図１〜図３に示すように、鉄骨梁５０の一方の端部５０Ａには、プレート６０が接合されている。鉄骨梁５０の一方の端部５０Ａとプレート６０との接合は、どのような接合方法であってもよいが、本実施形態では、溶接又はボルトによって接合されている。
【００２４】
プレート６０の板面には、先端部に頭部６３を有する頭付スタッド６２が設けられている。突出部の一例としての頭付スタッド６２は、鉄筋コンクリート製の仕口部３０に埋設されている。
【００２５】
図１及び図２に示すように、プレート６０は、仕口部３０よりも下側に延在する延在部６４が形成されている。この延在部６４は、仕口部３０の下の下側柱２２の上部２３の柱側面２３Ａに固定されている。なお、固定方法はどのようなものであってもよいが、本実施形態では、下側柱２２の上部２３に埋め込まれたインサートにボルト６８で固定されている。
【００２６】
図３に示すように、本実施形態のプレート６０のＹ方向の両端部には、仕口部３０の仕口部側面３０Ｂ及び仕口部側面３０Ｃに沿うように張り出した張出部６６Ａ及び張出部６６Ｄが形成されている。
【００２７】
［施工方法］
つぎに、本実施形態の柱梁架構１０の施工方法の一例について説明する。
【００２８】
図１（Ａ）に示すように、プレキャスト鉄筋コンクリート製の下側柱２２を設置する。鉄骨梁５０の一端側の端部５０Ａに接合されたプレート６０の下側に延在する延在部６４を下側柱２２の上部２３の柱側面２３Ａに固定する。
【００２９】
図１（Ｂ）に示すように、頭付スタッド６２が埋設するように下側柱２２の上部２３にコンクリートを打設して、仕口部３０を構築する。このとき、プレート６０を型枠の一部として利用する。また、鉄骨梁５０の上にコンクリートを打設してスラブ４２を構築する。つまり、仕口部３０とスラブ４２とを一体的に構築する。
【００３０】
プレート６０の延在部６４の下側柱２２の上部２３への固定は仮設である。よって、施工後、固定を外してもよい。
【００３１】
なお、プレキャスト鉄筋コンクリート製の梁１４、１６、１８及び上側柱２４の仕口部３０への接合は、どのような方法であってもよいが、以下に一例を説明する。
【００３２】
仕口部３０から突き出す梁主筋を仕口部３０に配筋し、仕口部３０を打設後、この梁主筋にプレキャスト鉄筋コンクリート製の梁１４、１６、１８に埋め込んだ機械式継手に挿入して接合している。或いは、梁１４、１６、１８から突き出した柱主筋を仕口部３０内で機械式継手によって接合してもよい。
【００３３】
また、プレキャスト鉄筋コンクリート製の下側柱２２から柱主筋を仕口部３０よりも長く突き出し、仕口部３０を打設後、この突き出た柱主筋にプレキャスト鉄筋コンクリート製の上側柱２４に埋め込んだ機械式継手に挿入して接合している。
【００３４】
［作用及び効果］
つぎに、本実施形態の作用及び効果について説明する。
【００３５】
鉄骨梁５０の端部５０Ａに接合したプレート６０には、延在部６４が形成されているので、仕口部３０を打設する前の下側柱２２の上部２３の柱側面２３Ａに固定することができる。
【００３６】
そして、鉄骨梁５０の端部５０Ａに接合したプレート６０の延在部６４を下側柱２２の上部２３の柱側面２３Ａに固定して仕口部３０のコンクリートを打設することで、仕口部３０とプレート６０との間に無収縮モルタルを充填する等し、鉄骨梁５０と仕口部３０との施工誤差を吸収する必要がなくなる。したがって、施工工数を抑えつつ、鉄骨梁５０と仕口部３０との施工誤差を吸収することができる。
【００３７】
また、本実施形態では、現場打ちの仕口部３０とスラブ４２とを一体的に構築することができるので、施工工数を削減することができる。
【００３８】
ここで、本発明が適用されない場合は、現場打ちの仕口部３０を打設したのち、一旦コンクリート作業を中断して鉄骨梁５０を接合し、再び現場打ちのスラブ４２の打設を行うことになるので、現場でのコンクリートの打設作業が分断される。
【００３９】
しかし、本実施形態では、前述のように現場打ちの仕口部３０とスラブ４２とを一体的に構築することで、コンクリートの打設作業が集約され、作業効率を高めることができる。
【００４０】
また、本実施形態では、頭付スタッド６２が仕口部３０に定着することで、鉄骨梁５０の端部５０Ａが仕口部３０に接合される。よって、例えば、ボルトナットによる接合と比較し、作業工数が削減される。
【００４１】
また、頭付スタッド６２は、定着筋と比較して、プレート６０からの突出寸法（定着代）が短くても所望の接合強度を得ることができる。よって、仕口部３０に埋設される各種鉄筋と干渉しにくいので、施工しやすい。
【００４２】
また、仕口部３０を打設する際のコンクリートの型枠の一部としてプレート６０を利用することで、施工コストが低減する。なお、本実施形態では、プレート６０のＹ方向の両端部には、仕口部３０の仕口部側面３０Ｂ、３０Ｃに沿うように張り出した張出部６６Ａ、６６Ｄが形成されているので、型枠として利用しやすい。
【００４３】
＜その他＞
尚、本発明は上記実施形態に限定されない。
【００４４】
例えば、上記実施形態では、プレート６０には、張出部６６Ａ、６６Ｂが形成されていいたが、張出部６６Ａ、６６Ｄが形成されていなくてもよい。
【００４５】
また、例えば、上記実施形態では、仕口部３０とスラブ４２とを一体的に構築したが、仕口部３０とスラブ４２とを別々に構築してもよい。
【００４６】
また、例えば、上記実施形態では、プレート６０は、仕口部３０の仕口部側面３０Ａと仕口部側面３０Ｂ、３０Ｄの一部を覆っている。しかし、プレート６０が仕口部３０の全部の仕口部側面３０Ａ、３０Ｂ、３０Ｃ、３０Ｄを覆う構造とすれば、仕口部３０がプレート６０によって覆われるため、仕口部３０の内部のフープ筋を省略或いは削減することができる。
【００４７】
プレート６０が仕口部３０の全部の仕口部側面３０Ａ、３０Ｂ、３０Ｃ、３０Ｄを覆う構造とは、例えば、柱２０に接合される梁の全てが、本発明が適用された鉄骨梁５０である場合などである。
【００４８】
また、上記実施形態では、柱２０、梁１４、１６、１８は、いずれもプレキャスト鉄筋コンクリート製であったが、これに限定されない。これらを現場で打設して構築する構造であってもよい。この場合、例えば、下側柱２２と上側柱２４の柱主筋は、仕口部３０内で機械式継手によって継がれてもよい。
【００４９】
また、上記実施形態では、頭付スタッド６２が仕口部３０に定着することで、鉄骨梁５０の端部５０Ａが仕口部３０に接合されているが、これに限定されない。頭付スタッド６２以外の突出部、例えば定着筋やインサート金具をプレート６０に設けてもよい。
【００５０】
更に、本発明の要旨を逸脱しない範囲において種々なる態様で実施し得ることは言うまでもない
【符号の説明】
【００５１】
１０      柱梁架構
２０      柱
２３      上部
２３Ａ    柱側面
３０      仕口部
４２      スラブ
５０      鉄骨梁
６０      プレート
６２      頭付スタッド（突出部の一例）
６４      延在部
【図１】
2018066221.tif 000003
【図２】
2018066221.tif 000004
【図３】
2018066221.tif 000005